(57)【特許請求の範囲】
【請求項１】
底部を囲むように配設された４つの側壁が、底部に重なるように折り畳むことが可能な折り畳みコンテナーにおいて、前記底部の角部には、平面形状が略Ｌ字状の角部ブロックが形成されており、該角部ブロックの上端部内側には、底部の裏面に形成された嵌合部が嵌合可能な内側凹部が形成されているとともに、前記角部ブロックの上端部外側には、水平面と垂直面とからなる外側凹部が形成されており、折り畳まれた状態の折り畳みコンテナーに蓋を被蓋した際には、前記蓋の周辺土手部を形成する外側垂直部が、前記角部ブロックに形成された外側凹部に挿入され、また、前記蓋の周辺土手部の内側に形成された周状溝部に、前記角部ブロックに形成された内側凹部と外側凹部との間に位置する凸条部が挿入されるように構成されており、更に、前記蓋の周辺土手部を形成する外側垂直部が、前記底部の外側面を越えてはみ出さないように構成されていることを特徴とする折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
従来より、箱型に組み立てられ、物品が収納された折り畳みコンテナーを、複数、段積みした後、一番上に位置する折り畳みコンテナーのみに、蓋を被せることが行われており、そして、トラック等で搬送された物品が収納された折り畳みコンテナーは、その搬送先において、折り畳みコンテナーから、収納されている物品を取り出した後、空になった折り畳みコンテナーを、側壁を底部に重なるようにようにして折り畳み、その後、折り畳まれた状態の折り畳みコンテナーを段積みした状態で、トラック等で搬送するようにしている。
【０００３】
【発明が解決しようとする課題】
上述した従来の折り畳みコンテナーにおいては、側壁を底部に重なるようにようにして折り畳み、折り畳まれた状態の折り畳みコンテナーを、複数個、段積みした後に、蓋を、一番上に位置する折り畳まれた状態の折り畳みコンテナーに被蓋した場合には、蓋が、簡単に水平方向に移動してしまうので、蓋を、段積みされた折り畳まれた状態の折り畳みコンテナーとは別に、トラック等に積み込まなければならず、従って、トラック等への積み込み作業の作業性が悪いとともに、トラック等への収納効率も悪いという問題があった。
【０００４】
本発明の目的は、上述した従来の折り畳みコンテナーが有する課題を解決することにある。
【０００５】
【課題を解決するための手段】
本発明は、上述した目的を達成するために、底部を囲むように配設された４つの側壁が、底部に重なるように折り畳むことが可能な折り畳みコンテナーにおいて、前記底部の角部には、平面形状が略Ｌ字状の角部ブロックが形成されており、該角部ブロックの上端部内側には、底部の裏面に形成された嵌合部が嵌合可能な内側凹部が形成されているとともに、前記角部ブロックの上端部外側には、水平面と垂直面とからなる外側凹部が形成されており、折り畳まれた状態の折り畳みコンテナーに蓋を被蓋した際には、前記蓋の周辺土手部を形成する外側垂直部が、前記角部ブロックに形成された外側凹部に挿入され、また、前記蓋の周辺土手部の内側に形成された周状溝部に、前記角部ブロックに形成された内側凹部と外側凹部との間に位置する凸条部が挿入されるように構成されており、更に、前記蓋の周辺土手部を形成する外側垂直部が、前記底部の外側面を越えてはみ出さないように構成したものである。
【０００６】
【実施例】
以下に、本発明の実施例について説明するが、本発明の趣旨を越えない限り何ら、本実施例に限定されるものではない。
【０００７】
１は、平面形状が略方形状の底部であり、本実施例においては、平面形状が略長方形状に形成されている。底部１の相対する長辺側土手部１ａには、適当なヒンジ部材を介して、長側壁２が連結されており、また、長辺側土手部１ａより低い相対する短辺側土手部１ｂには、適当なヒンジ部材を介して、短側壁３が連結されている。上記のように、折り畳みコンテナーＣは、底部１と相対する長側壁２と相対する短側壁３とから構成されている。そして、図１に示されているように、箱型に組み立てられた折り畳みコンテナーＣは、先ず最初に、図２に示されているように、短側壁３を、底部１方向に倒して底部１に重ね、次いで、長側壁２を、底部１に重ねられた短側壁３の上に重ねることにより、図３に示されているように、高さの低いコンパクトな状態に折り畳むことができるように構成されている。
【０００８】
長側壁２の上部に位置する外側角部には、外側角部を切り欠くことにより、外側凹部２ａが形成されている。本実施例においては、長側壁２の両端部から短側壁３方向に延在する係合枠２ｂの上端部外側を切り欠くことにより、係合枠２ｂに、水平面２ａ１と垂直面２ａ２とからなる外側凹部２ａが形成されている。なお、２ｃは、長側壁２の外壁面２’に形成された適当数の縦リブであり、２ｄは、同じく、長側壁２の外壁面２’に形成された適当数の横リブであり、縦リブ２ｃの上端２ｃ１と、係合枠２ｂに形成された外側凹部２ａの垂直面２ａ２が延在している長側壁２の上部側面２ｅとにより、同様に、縦リブ２ｃの上部には、外側凹部２ａが形成されている。
【０００９】
また、短側壁３にも、短側壁３の上端部外側を切り欠くことにより、水平面３ａ１と垂直面３ａ２とからなる外側凹部３ａが形成されている。そして、短側壁３に形成された外側凹部３ａを形成する水平面３ａ１と、長側壁２に形成された外側凹部２ａを形成する水平面２ａ１とは、略面一に形成されており、また、短側壁３に形成された外側凹部３ａを形成する垂直面３ａ２と、長側壁２に形成された外側凹部２ａを形成する垂直面２ａ２とも、略面一に形成されている。
【００１０】
１ｃは、底部１の長辺側土手部１ａの両端部に形成された、平面形状が略Ｌ字状の角部ブロックであり、角部ブロック１ｃの上端部内側には、内側凹部１ｃ１が形成されており、内側凹部１ｃ１には、底部１の裏面に形成されている、裏面形状が長方形で所定の高さを有する公知の嵌合部が嵌合するように構成されている。また、角部ブロック１ｃの上端部外側を切り欠くことにより、水平面１ｃ２’と垂直面１ｃ２”とからなる外側凹部１ｃ２が形成されている。
【００１１】
なお、長側壁２の両端部から短側壁３方向に延在する係合枠２ｂに穿設された透孔２ｆや凹部２ｇに、短側壁３の両端部付近に形成された突起３ｂや凸部３ｃを、嵌合或いは挿入することにより、長側壁２と短側壁３とが嵌合状態を形成し、図１に示されているように、折り畳みコンテナーＣが箱型に組み立てられた際に、短側壁３が、簡単には、底部１方向に倒れないように構成されている。長側壁２と短側壁３とが嵌合機構は、上記の例に限定されることなく、公知の種々の嵌合機構を採用することができる。
【００１２】
図６に示されているように、蓋Ｒは、天板１０と、天板１０の周囲に形成された周状土手部１１とを有しており、周状土手部１１は、天板１０の縁部から、略垂直方向に延在する内側垂直部１１ａと、内側垂直部１１ａの上端から、外側に水平方向に延在する天部１１ｂと、天部１１ｂの端縁から、略垂直状態に垂下された外側垂直部１１ｃとから構成されており、周状土手部１１内には、下方が開口された周状溝部１１ｄが形成されている。
【００１３】
図７に示されているように、箱型に組み立てられた折り畳みコンテナーＣに、蓋Ｒを被せた場合には、周状土手部１１の内部に形成された周状溝部１１ｄに、図８に示されているように、長側壁２の上端凸条部２”及び短側壁３の上端凸条部３’が挿入されるとともに、蓋Ｒの天板１０が、折り畳みコンテナーＣの開口部に挿入されるように構成されている。また、蓋Ｒの周状土手部１１を構成する外側垂直部１１ｃの下端は、長側壁２に形成された外側凹部２ａを構成する水平面２ａ１や縦リブ２ｃの上端２ｃ１及び短側壁３に形成された外側凹部３ａを構成する水平面３ａ１に、それぞれ、当接或いは接近して位置するように構成されており、蓋Ｒの周状土手部１１を構成する外側垂直部１１ｃが、長側壁２に形成された外側凹部２ａを構成する水平面２ａ１や縦リブ２ｃの上端２ｃ１及び短側壁３に形成された外側凹部３ａを構成する水平面３ａ１を越えて、折り畳みコンテナーＣからはみ出さないように構成されている。このように構成することにより、蓋Ｒが被蓋されていても、折り畳みコンテナーＣを、横方向に並設した場合には、隣接した折り畳みコンテナーＣの長側壁２或いは短側壁３同士が、接触或いは実質的に接触するので、隣接した折り畳みコンテナーＣ間に隙間ができるようなことがなく、従って、蓋Ｒが被蓋された折り畳みコンテナーＣの収容スペースを少なくすることができる。また、箱型に組み立てられた折り畳みコンテナーＣに、蓋Ｒを被せた場合には、周状土手部１１の周状土手部１１の内部に形成された周状溝部１１ｄに、長側壁２の上端凸条部２”及び短側壁３の上端凸条部３’が挿入されているので、蓋Ｒが水平方向に移動するようなことがなく、蓋Ｒがずれて外れるようなことが防止できる。
【００１４】
また、図９に示されているように、折り畳まれた状態の折り畳みコンテナーＣに、蓋Ｒを被せた場合には、周状土手部１１の周状土手部１１の内側に形成された周状溝部１１ｄに、図１０に示されているように、底部１に形成された角部ブロック１ｃの内側凹部１ｃ１と外側凹部１ｃ２と間に位置する凸条部１’が挿入されるように構成されている。また、蓋Ｒの周状土手部１１を構成する外側垂直部１１ｃの下端は、角部ブロック１ｃの外側凹部１ｃ２を構成する水平面１ｃ２’に、当接或いは接近して位置するように構成されており、蓋Ｒの周状土手部１１を構成する外側垂直部１１ｃが、底部１の長辺側土手部１ａ及び短辺側土手部１ｂの外側面を越えて、底部１からはみ出さないように構成されている。このように構成することにより、蓋Ｒで被蓋されている折り畳まれた状態の折り畳みコンテナーＣを、横方向に並設した場合にも、隣接した折り畳みコンテナーＣの底部１の外側面同士が、接触或いは実質的に接触するので、隣接した折り畳みコンテナーＣの底部１間に隙間ができるようなことがなく、従って、蓋Ｒが被蓋された折り畳まれた状態の折り畳みコンテナーＣの収容スペースを少なくすることができる。また、折り畳まれた状態の折り畳みコンテナーＣに、蓋Ｒを被せた場合には、周状土手部１１の周状土手部１１の内部に形成された周状溝部１１ｄに、底部１に形成された角部ブロック１ｃの内側凹部１ｃ１と外側凹部１ｃ２と間に位置する凸条部１’が挿入されるように構成されているので、蓋Ｒが、水平方向に移動するようなことがなく、蓋Ｒがずれて外れるようなことが防止できる。
【００１５】
図１１に示されている蓋Ｒは、平板状の天板１２と、天板１２の周縁から、略垂直状態に垂下された外側垂直部１３とから構成されている。このような構成を有する蓋Ｒが、箱型に組み立てられた折り畳みコンテナーＣに被蓋された場合にも、蓋Ｒの外側垂直部１３の下端は、長側壁２に形成された外側凹部２ａを構成する水平面２ａ１や縦リブ２ｃの上端２ｃ１及び短側壁３に形成された外側凹部３ａを構成する水平面３ａ１に、それぞれ、当接或いは接近して位置するように構成されており、蓋Ｒの外側垂直部１３が、長側壁２に形成された外側凹部２ａを構成する水平面２ａ１や縦リブ２ｃの上端２ｃ１及び短側壁３に形成された外側凹部３ａを構成する水平面３ａ１を越えて、折り畳みコンテナーＣからはみ出すようなことはない。また．蓋Ｒの天板１２の周縁から垂下された外側垂直部１３が、長側壁２の上端凸条部２”及び短側壁３の上端凸条部３’の外側に位置しているので、蓋Ｒが水平方向に移動するようなことがなく、蓋Ｒがずれて外れるようなことがない。
【００１６】
同様に、折り畳まれた状態の折り畳みコンテナーＣに、図１１に示されている蓋Ｒを被せた場合には、蓋Ｒの外側垂直部１３の下端は、底部１に形成された角部ブロック１ｃの外側凹部１ｃ２を構成する水平面１ｃ２’に、当接或いは接近して位置するように構成されており、蓋Ｒの外側垂直部１３が、底部１の長辺側土手部１ａ及び短辺側土手部１ｂの外側面を越えて、底部１からはみ出すようなことがない。また、蓋Ｒの外側垂直部１３は、底部１に形成された角部ブロック１ｃの内側凹部１ｃ１と外側凹部１ｃ２と間に位置する凸条部１’の外側に位置しているので、蓋Ｒが水平方向に移動するようなことがなく、蓋Ｒがずれて外れるようなことがない。
【００１７】
上述した構成を有する折り畳みコンテナーＣは、従来と同様に、箱型に組み立てられ、物品が収納された折り畳みコンテナーＣを、複数、段積みした後、一番上に位置する折り畳みコンテナーＣのみに、蓋Ｒを被せる。また、空になった折り畳みコンテナーＣを折り畳んで、複数段に段積みした後、一番上に位置する折り畳まれた状態の折り畳みコンテナーＣにのみに、上述したように、蓋Ｒを被せる。
【００１８】
【発明の効果】
本発明は、以上説明した構成を有しているので、以下に記載する効果を奏するものである。
【００１９】
底部に、蓋の外側垂直部が挿入可能な外側凹部を形成したので、折り畳まれた状態の折り畳みコンテナーに、蓋を被蓋した場合でも、蓋が水平方向に移動するようなことがなく、従って、蓋がずれて外れるようなことが防止できる。従って、従来のように、蓋を、段積みされた折り畳まれた状態の折り畳みコンテナーとは別に、トラック等に積み込む必要がなく、段積みされた折り畳まれた状態の折り畳みコンテナーの一番上に位置する折り畳みコンテナーに被蓋して、積み込むことができるので、トラック等への積み込み作業の作業性が向上するとともに、トラック等への収納効率も向上する。
【００２０】
折り畳まれた状態の折り畳みコンテナーに蓋を被蓋した際に、蓋が、底部の外側面を越えてはみ出さないように構成されているので、従って、蓋が被蓋された折り畳まれた状態の折り畳みコンテナーの収容スペースを少なくすることができる。
【図面の簡単な説明】
【図１】図１は本発明の折り畳みコンテナーが箱型に組み立てられた状態の斜視図である。
【図２】図２は本発明の折り畳みコンテナーの折り畳み途中の斜視図である。
【図３】図３は本発明の折り畳みコンテナーが折り畳まれた状態の斜視図である。
【図４】図４は本発明の折り畳みコンテナーが箱型に組み立てられた状態の部分斜視図である。
【図５】図５は本発明の折り畳みコンテナーが折り畳まれた状態の部分斜視図である。
【図６】図６は本発明の折り畳みコンテナーに被蓋される蓋の斜視図である。
【図７】図７は蓋が被蓋された本発明の折り畳みコンテナーの箱型に組み立てられた状態の斜視図である。
【図８】図８は蓋が被蓋されているとともに箱型に組み立てられた本発明の折り畳みコンテナーの部分垂直断面図である。
【図９】図９は蓋が被蓋された本発明の折り畳みコンテナーが折り畳まれた状態の斜視図である。
【図１０】図１０は蓋が被蓋されているとともに折り畳まれた状態の折り畳みコンテナーの部分垂直断面図である。
【図１１】図１１は本発明の折り畳みコンテナーに被蓋される別の実施例の蓋の斜視図である。
【符号の説明】
Ｃ・・・・・・・・・・・・・・折り畳みコンテナー
Ｒ・・・・・・・・・・・・・・蓋
１・・・・・・・・・・・・・・底部
１ｃ・・・・・・・・・・・・・角部ブロック
１ｃ２・・・・・・・・・・・・外側凹部
２・・・・・・・・・・・・・・長側壁
２ａ・・・・・・・・・・・・・外側凹部
３・・・・・・・・・・・・・・短側壁
３ａ・・・・・・・・・・・・・外側凹部
【図１】
0004142864.tif 000002
【図２】
0004142864.tif 000003
【図３】
0004142864.tif 000004
【図４】
0004142864.tif 000005
【図５】
0004142864.tif 000006
【図６】
0004142864.tif 000007
【図７】
0004142864.tif 000008
【図８】
0004142864.tif 000009
【図９】
0004142864.tif 000010
【図１０】
0004142864.tif 000011
【図１１】
0004142864.tif 000012